(57)【要約】【課題】掌全体で握り易く、カーペット及び床の両方を清掃することが可能で、カーペットから除去した繊維ごみの廃棄も容易なハンディタイプの清掃具を提供する。【解決手段】片手に握持可能な大きさのグリップ部材４と、清掃用シート３を装着した硬質スポンジ製のシートホルダー５とを、上下に重ね合わせることにより形成され、上記グリップ部材４は、平面視形状が長円形の伏せた容器状をしていて、凸楕円面状をした上面壁４ａを有し、上記シートホルダー５は、平面視形状が長円形の盤状をしていて、装着されたシート３を貫通して先端が外部に突き出す多数の繊条８を備えたブラシ状の第１作業面６ａと、反対側の第２作業面６ｂとを有し、該シートホルダー５を上下反転させることによって上記２つの作業面６ａ，６ｂを選択的に使用可能である。【選択図】図２
2010069238.tif 000002
【特許請求の範囲】
【請求項１】
片手に握持可能な大きさを有する清掃具本体と、該清掃具本体に装着して用いる清掃用シートとからなり、
上記清掃具本体は、握持用のグリップ部材と、上記シートを装着するための硬質スポンジ製のシートホルダーとを、上下に重ね合わせることにより形成され、
上記グリップ部材は、平面視形状が長円形の伏せた容器状をしていて、上に向けて凸の楕円面状をした上面壁と、該上面壁の周縁から下向きに延びる側面壁とを有し、
上記シートホルダーは、平面視形状が長円形の盤状をしていて、上下反転可能であると共に、上下両面に上記シートを清掃対象に押し付けるための作業面を有し、一方の作業面には、装着されたシートを貫通して先端が外部に突き出す多数の繊条が形成され、該シートホルダーを上下反転させることによって上記２つの作業面を選択的に使用可能であることを特徴とする清掃具。
【請求項２】
上記シートホルダーは、上記グリップ部材より小さい外形寸法に形成され、シートを巻き付けられた該シートホルダーが、上端部を上記グリップ部材の側面壁の内部に嵌合した状態で該グリップ部材と重合されていることを特徴とする請求項１に記載の清掃具。
【請求項３】
上記清掃具本体が、上記グリップ部材とシートホルダーとを相互に連結するための連結機構と、上記シートを装着状態に止着させるための止着機構とを有し、上記連結機構は、上記グリップ部材側に形成された連結突起と、シートホルダー側に形成されて該連結突起が嵌合する連結孔とを有し、上記止着機構は、シートの一部を押し込んで止着させるための止着孔を有することを特徴とする請求項１又は２に記載の清掃具。
【請求項４】
上記グリップ部材とシートホルダーとが、長手方向の一端側において上記連結機構で回動自在なるように連結され、該連結機構で一端同士を連結されたまま互いに分離可能であることを特徴とする請求項３に記載の清掃具。
【請求項５】
上記止着孔が、上記グリップ部材及びシートホルダーの何れか一方に形成されていることを特徴とする請求項３又は４に記載の清掃具。
【発明の詳細な説明】
【技術分野】
【０００１】
本発明は、カーペットや床などの清掃に適した清掃具に関するものであり、更に詳しくは、片手に握ってカーペットや床などを手軽に清掃することができるハンディタイプの清掃具に関するものである。
【背景技術】
【０００２】
カーペットの清掃に適した従来の清掃具として、例えば特許文献１に記載された除塵用ブラシが知られている。このブラシは、平たい盤状をした基板の下面に短繊維を植設し、この短繊維でカーペット上の糸屑や毛髪等の繊維ごみを絡め取るようにしたもので、清掃効率の非常に良いものである。
【０００３】
ところが、上記従来のブラシは、上記基板が平らな盤状に形成されているため、それを片手で握って清掃するとき、該基板が掌全体にフィットしにくい。このため、ブラシをカーペットに強く押し付けて清掃するような場合に、指や掌の一部だけに基板が強く片当たりすることになり、握り易さに欠けるきらいがあった。また、短繊維で絡め取った繊維ごみがそのまま該短繊維に絡み付いて残り易く、それを取り除く作業も面倒である。更に、短繊維で清掃するものであるため、フロアリング製の床の表面に付着した汚れを落とすといったような清掃には不向きである。
【特許文献１】実公平６−４６３４９号公報
【発明の開示】
【発明が解決しようとする課題】
【０００４】
そこで本発明の目的は、清掃時に掌全体で握り易く、また、カーペット及び床の両方を清掃することが可能で、カーペットから除去した繊維ごみの廃棄も容易な、使用性に勝れたハンディタイプの清掃具を提供することにある。
【課題を解決するための手段】
【０００５】
上記目的を達成するため、本発明の清掃具は、片手に握持可能な大きさを有する清掃具本体と、該清掃具本体に装着して用いる清掃用シートとからなり、上記清掃具本体は、握持用のグリップ部材と、上記シートを装着するための硬質スポンジ製のシートホルダーとを、上下に重ね合わせることにより形成され、上記グリップ部材は、平面視形状が長円形の伏せた容器状をしていて、上に向けて凸の楕円面状をした上面壁と、該上面壁の周縁から下向きに延びる側面壁とを有し、上記シートホルダーは、平面視形状が長円形の盤状をしていて、上下反転可能であると共に、上下両面に上記シートを清掃対象に押し付けるための作業面を有し、一方の作業面には、装着されたシートを貫通して先端が外部に突き出す多数の繊条が形成され、該シートホルダーを上下反転させることによって上記２つの作業面を選択的に使用可能であることを特徴とするものである。
【０００６】
本発明において、上記シートホルダーは、上記グリップ部材より小さい外形寸法に形成され、シートを巻き付けられた該シートホルダーが、上端部を上記グリップ部材の側面壁の内部に嵌合した状態で該グリップ部材と重合されていることが望ましい。
【０００７】
また、本発明において好ましくは、上記清掃具本体が、上記グリップ部材とシートホルダーとを相互に連結するための連結機構と、上記シートを装着状態に止着させるための止着機構とを有し、上記連結機構は、上記グリップ部材側に形成された連結突起と、シートホルダー側に形成されて該連結突起が嵌合する連結孔とを有し、上記止着機構は、シートの一部を押し込んで止着させるための止着孔を有することである。
【０００８】
この場合、上記グリップ部材とシートホルダーとが、長手方向の一端側において上記連結機構で回動自在なるように連結され、該連結機構で一端同士を連結されたまま互いに分離可能であることが望ましい。
また、上記止着孔は、上記グリップ部材及びシートホルダーの何れか一方に形成することができる。
【発明の効果】
【０００９】
本発明によれば、グリップ部材を上に凸の楕円面状をした上面を有するように形成したことにより、清掃時にこのグリップ部材を握ったとき、該グリップ部材が掌全体にフィットするため、非常に握り易く、カーペットを清掃する場合でも力を入れ易い。また、シートホルダーが上下反転可能となっていて、繊条が設けられた作業面と反対側の作業面とを使い分けることによってカーペットと床との両方を清掃することが可能である。さらに、上記繊条によってカーペットから絡み取った糸屑などの繊維ごみは、シートをシートホルダーから取り外すだけで上記繊条から簡単に分離、除去することができ、その廃棄も簡単である。
【発明を実施するための最良の形態】
【００１０】
図１−図５には、本発明に係る清掃具の第１実施形態が示されている。この清掃具１Ａは、片手に直接握持してカーペットや床などの清掃対象を清掃するもので、片手で握持可能な形状及び大きさを有する清掃具本体２と、この清掃具本体２に装着して用いる清掃用シート３とで構成されている。
【００１１】
上記清掃具本体２は、平面視形状が長円形で上面が凸楕円面状をした握持用のグリップ部材４と、平面視形状が長円形で上下両面に上記シート３を清掃対象に押し付けるための作業面６ａ，６ｂを有する硬質スポンジ製のシートホルダー５とを、上下に重ね合わせた状態で分離可能に結合することにより形成されている。
【００１２】
上記グリップ部材４は、清掃時に強く握っても変形しない程度に硬質の合成樹脂からなるもので、図３からも分かるように、全体として伏せた丸い容器のような形、好ましくはコンピュータの入力操作用のマウスのような形をしていて、楕円体の一部のような上に向けて凸形に湾曲する楕円面状をした上面壁４ａと、該上面壁４ａの全周縁から下向きに鉛直に延びる側面壁４ｂとを有している。この側面壁４ｂの高さは全周にわたり一定で、該側面壁４ｂの内周面の上端部または上下方向の中間部には、内側に張り出す段部４ｃが形成され、この段部４ｃに上記シートホルダー５の上端部が当接することにより、該シート３ホルダの結合時の位置決めが行われている。上記段部４ｃは、側面壁４ｂの内周全体に形成しても、該側面壁４ｂの長手方向の両端部だけに形成しても良い。
【００１３】
一方、上記シートホルダー５は、図４に示すように、ポリエチレンなどの合成樹脂発泡体によって一定の高さ（厚さ）を有する盤状に形成され、その外形寸法即ち長手方向寸法及び短手方向寸法は、上記グリップ部材４における側面壁４ｂの内形寸法即ち長手方向寸法及び短手方向寸法より僅かに小さく形成され、これによって該シートホルダー５が、図１及び図２から分かるように、シート３を巻き付けられた状態で上記側面壁４ｂの内部に嵌合可能となっている。このシートホルダー５の硬さは、清掃時に加わる力では殆ど圧縮されない程度の硬さであることが望ましい。
【００１４】
上記シートホルダー５における上下２つの作業面６ａ，６ｂのうち、一方の第１作業面６ａは、ブラシ状をしていて、装着された上記シート３を貫通して先端が外部に突き出す多数の繊条８が形成されており、他方の第２作業面６ｂは、スポンジ面がそのまま露出した平坦面に形成されている。そして、該シートホルダー５を上下反転させて上記グリップ部材４に結合することにより、上記第１作業面６ａと第２作業面６ｂとを、カーペット等を清掃する場合とフロアリング製の平坦な床面等を清掃する場合とで選択的に使用できるようになっている。
【００１５】
上記ブラシ状の第１作業面６ａを使用してカーペットを清掃する際には、図１及び図２に示すように、上記各繊条８の先端部分が上記シート３を貫通して外部に突き出した状態となり、この突き出した先端部分によってカーペット上の糸屑や毛髪等の繊維ごみが絡み取られ、それがシート３に付着する。また、上記平坦な第２作業面６ｂを使用して床面を清掃する際には、該第２作業面６ｂにより上記シート３が床面に押し付けられて該床面上の汚れが取り除かれる。
【００１６】
上記繊条８は、ポリアミド系樹脂やポリエステル樹脂等の合成樹脂により形成されていて、カーペット等に絡みついた繊維ごみを絡め取ることができる程度の剛性と弾性とを兼ね備えており、その長さは１−２ｍｍ程度である。該繊条８の先端は、繊維ごみが係止し易いように鈎形に湾曲していることが望ましいが、真っ直ぐであっても構わない。
また、上記繊条８は、上記シートホルダー５に対して一方向（例えば短手方向）に傾斜させた状態に設けることもでき、これにより、該繊条８の傾斜方向に清掃具を動かした場合と逆方向に動かした場合とで、繊維ごみの掻き取り抵抗に差を持たせることもできる。この場合、清掃具を繊条８の傾斜方向に動かしたときの方が、各繊条８の剛性が大きくなるため、繊維ごみの掻き取り力も大きくなる。
【００１７】
上記清掃具本体２には、上記グリップ部材４とシートホルダー５とを相互に連結するための連結機構１０が形成されている。この連結機構１０は、上記グリップ部材４側に形成された連結突起１１と、シートホルダー５側に形成された連結孔１２とを含むもので、この連結孔１２に上記連結突起１１を抜き取り可能に挿入することにより、上記グリップ部材４とシートホルダー５とが、長手方向の一端側においてこの連結機構１０を介して回動可能なるように連結されている。
【００１８】
上記連結突起１１は、図３から分かるように、上記グリップ部材４の側面壁４ｂの下端部に連なる柔軟な帯状をした連結部材１３の先端に形成されている。即ち、この連結部材１３の先端には、該連結部材１３よりは硬質の横長の突起形成部１４がＴ字状をなすように連設され、この突起形成部１４に２つの上記連結突起１１が、シートホルダー５の側面に向けて横向きに形成されている。これらの連結突起１１の先端には、傘状に張り出す係止頭部１１ａが形成され、この係止頭部１１ａによって上記連結孔１２から抜き取る方向の抵抗が高められている。上記連結部材１３と突起形成部１４と連結突起１１とは、合成樹脂で上記グリップ部材４と一体に形成されていることが望ましい。
【００１９】
一方、上記連結孔１２は、図４から分かるように、上記シートホルダー５の側面に横並び状態に２つ形成され、これらの連結孔１２に上記連結突起１１が嵌合している。
上記連結孔１２は、上記シートホルダー５を上下反転させても上記連結突起１１を嵌合できるように、上記シートホルダー５の高さ方向の中央部に形成されていることが望ましい。しかし、図６に示すように、シートホルダー５の半分以上がグリップ部材４の側面壁４ｂの内部に嵌合するといったような場合には、該シートホルダー５の高さ方向の一端側と他端側との２箇所に連結孔１２が形成される。
【００２０】
上記連結機構１０によってグリップ部材４とシートホルダー５とが長手方向の一端側において回動自在に連結されているから、シート３の交換時等に、図５に示すように、上記連結突起１１を支点として連結部材１３を屈曲させてグリップ部材４を回動させることにより、該グリップ部材４を、一端を上記シートホルダー５に連結したまま該シートホルダー５から分離させることができる。
【００２１】
なお、上記連結機構１０は、帯状の連結部材１３を一定の帯幅のまま延長して先端部分を突起形成部１４とし、ここに１つの連結突起１１を設けたものであっても良い。この場合、上記シートホルダー５の側面には、該シートホルダー５が図４に対応するものである場合には、高さ方向の中央位置に１つの連結孔１２が形成され、図６に対応するものである場合には、高さ方向の一端側と他端側とに２つの連結孔１２が形成される。
また、上記各連結孔１２は、シートホルダー５の側面ではなく上下面に形成し、該シートホルダー５の上方側から該連結孔１２に上記連結突起１１を挿入するように構成することもできる。
【００２２】
上記清掃具本体２にはまた、上記シート３を装着状態に止着するための止着機構１６が形成されている。この止着機構１６は、上記シートホルダー５を上下に貫通するように形成された円形の止着孔１７と、上記グリップ部材４の内部を上面壁４ａの下面から下向きに延びる円柱状の止着棒１８とからなっていて、この止着棒１８でシート３の一部を上記止着孔１７内に押し込んで係止させるものである。
【００２３】
上記止着機構１６は、清掃具本体２の上記連結機構１０が設けられた側と反対の側に寄った位置に形成されていて、上記シート３を止着孔１７内に押し込んだときの上記止着棒１８の摩擦抵抗により、該止着機構１６が設けられた側においてグリップ部材４とシートホルダー５とが清掃時に相互に分離しないように連結されている。従ってこの止着機構１６は、上記グリップ部材４とシートホルダー５との連結及び位置決めを行う連結機構としての機能を兼備するものである。
【００２４】
上記シート３は、天然繊維及び／又は合成繊維からなる柔軟な不織布によって長方形など適宜形状に形成した平面状シートであって、上記繊維による毳立った表面を有し、この表面の繊維にカーペット上の繊維ごみを付着させて除去するものである。もちろん、塵埃などの繊維ごみ以外のごみも付着させることができる。
上記不織布を構成する繊維は、親水性繊維であっても、親油性繊維であっても良く、あるいはそれらの混合物であっても良い。また、それらの繊維は、繊維経が小さい極細繊維で構成されていることが望ましいが、より望ましくは、この繊維の一部又は全部に、繊維経が１〜１０μｍの超極細繊維が含まれていることである。
【００２５】
上記構成を有する清掃具でカーペットを清掃するときは、図５に示すように、シートホルダー５を、ブラシ状の第１作業面６ａが下向きとなる姿勢で連結機構１０によりグリップ部材４に連結し、該シートホルダー５を下から包み込むようにシート３を巻き付けたあと、上記グリップ部材４を該シートホルダー５上に重ねる。すると、図２に示すように、止着棒１８がシート３の一部を止着孔１７内に押し込みながら該止着孔１７内に嵌合すると共に、シートホルダー５の上端部分がグリップ部材４の側面壁４ｂの内側に嵌合して段部４ｃに当接し、それによってこれらのシートホルダー５とグリップ部材４とが結合状態となる。このとき上記シート３は、上記止着棒１８と止着孔１７とで止着されるほか、上記シートホルダー５の外周とグリップ部材４の内周との間に挟持されることによっても止着される。また、上記シートホルダー５の第１作業面６ａに形成された繊条８の先端は、シート３を貫通して外部に突出した状態となる。
【００２６】
次に、上記清掃具１Ａのグリップ部材４を片手に持ち、上記第１作業面６ａでカーペットの上面を擦るように該清掃具を動かすと、上記繊条８でカーペットの繊維に付着した糸屑や毛髪などの繊維ごみが絡め取られ、絡め取られた繊維ごみが上記シート３に付着して捕捉される。塵埃などの繊維ごみ以外のごみも上記シート３に付着して捕捉される。
【００２７】
このとき、上記繊条８とカーペットの繊維との間に非常に大きな摺擦抵抗が作用するため、その摺擦抵抗にうち勝つだけの大きな力で清掃具を把持して動かす必要があるが、上記グリップ部材４が楕円体の一部のような形、換言すれば、コンピュータの入力操作用のマウスのような形をしていて、その上面が上に向けて凸の楕円面状をしているため、掌全体にフィットして非常に握り易く、大きな力を加えながら清掃するのが容易である。
【００２８】
また、上記シートホルダー５は、上端部分がグリップ部材４の側面壁４ｂ内に嵌合することによって該グリップ部材４に横方向に係止しているので、上記摺擦抵抗によって該シートホルダー５とグリップ部材４との間に横にずれようとする力が作用しても、該シートホルダー５がずれ動いたりグリップ部材４から外れたりすることはない。
【００２９】
清掃が終了すると、図５に示すように、グリップ部材４を、連結機構１０でシートホルダー５に連結したまま連結部材１３を屈曲させて該シートホルダー５から分離させ、シート３を該シートホルダー５から取り外して廃棄する。このとき、該シート３に付着したごみは、そのまま該シート３に付着した状態でシートホルダー５から分離され、繊条に８に絡み付いた繊維ごみも、上記シート３に梳き取られるようにして該繊条８から剥離され、シートホルダー５から分離される。従って、繊条８に繊維ごみが絡みついたまま残ることはない。
【００３０】
また、上記清掃具１Ａでカーペット以外の清掃対象、例えばフロアリング製の床面を清掃するときは、連結機構１０の連結突起１１を連結孔１２から抜き取ることによってシートホルダー５をグリップ部材４から切り離し、該シートホルダー５を上下反転させて平坦な第２作業面６ｂを下向きにし、その状態で上記連結突起１１を連結孔１２に挿入することによりグリップ部材４に連結する。そして、該シートホルダー５にシート３を巻き付けたあと、上記グリップ部材４を該シートホルダー５上に重ねて結合し、その状態で床面を清掃する。すると、上記第２作業面６ｂによってシート３が床に押し付けられ、床面に付着した汚れが拭き取られる。
【００３１】
上記実施形態においては、上記シート３をシートホルダー５に装着状態に止着するための止着機構１６が、該シートホルダー５に形成された止着孔１７とグリップ部材４に形成された止着棒１８とで構成されているが、図７に示すように、この止着機構１６は、シートホルダー５に複数の止着孔２０を設けただけのものであっても良い。これらの止着孔２０は、半円形あるいはそれに類似する形状をしていて、４つの止着孔２０がシートホルダー５を上下に貫通するように形成され、各止着孔２０内にシート３の一部を押し込むことによって該シート３がシートホルダー５に止着されるようになっている。
あるいは、上記止着機構１６として、上記止着棒１８及び止着孔１７と、４つの止着孔２０とを、両方設けることによって形成することもできる。
【００３２】
図８−図１０には本発明に係る清掃具の第２実施形態が示されている。この第２実施形態の清掃具１Ｂは、主として、グリップ部材４とシートホルダー５とを相互に連結するための連結機構１０と、シート３を清掃具本体２に装着状態に止着するための止着機構１６とが、上記第１実施形態の清掃具１Ａと相違している。
【００３３】
即ち、この第２実施形態の清掃具１Ｂにおいては、上記連結機構１０の連結部材１３の先端に形成された突起形成部１４が、上記シートホルダー５とほぼ同大の長円形をした薄板状に形成されていて、この突起形成部１４の下面に複数の連結突起１１が下向きに形成されている。図示の例では、上記突起形成部１４の長手方向の両端部寄りの位置に、それぞれ２つの連結突起１１が、該突起形成部１４の短手方向に相対するように配設されている。
【００３４】
これに対して上記シートホルダー５には、４つの連結孔１２が上下方向に形成され、これらの連結孔１２内に上記連結突起１１を挿入させることにより、該シートホルダー５が上記突起形成部１４に連結されるようになっている。上記連結孔１２は、シートホルダー５を上下方向に貫通していることが望ましいが、該シートホルダー５の上下両面側から一定深さを有するように形成されていても良い。
【００３５】
また、上記突起形成部１４の上面には、長手方向の両端部寄りの位置に、それぞれ円形の係止軸２２が設けられ、これに対して上記グリップ部材４の内部には、上面壁４ａの内面から下向きに延びる角軸２３の内部に、上記係止軸２２が嵌合する角形の係止孔２４が設けられており、図８に示すように、シートホルダー５に連結された上記突起形成部１４を介してグリップ部材４を該シートホルダー５上に重ねたとき、上記係止軸２２が上記係止孔２４内に嵌入し、それによって該グリップ部材４と突起形成部１４とが相互に位置決め状態で係止し合うようになっている。このとき、上記突起形成部１４とシートホルダー５の上端部とは、上記グリップ部材４の側面壁４ｂの内部に嵌合する。また、該グリップ部材４の内部には、側面壁４ｂに沿って上下に延びる複数のリブ２５の下端によって上記段部４ｃが形成され、この段部４ｃに上記突起形成部１４が当接して位置決めされる。
【００３６】
しかし、上記突起形成部１４及びシートホルダー５を上記グリップ部材４と同じ大きさに形成し、これらのグリップ部材４と突起形成部１４とシートホルダー５とが非嵌合状態で上下に重なり合うように構成することができる。あるいは、上記シートホルダー５とグリップ部材４とを同じ大きさに形成し、突起形成部１４をそれより小さく形成することにより、該突起形成部１４だけがグリップ部材４内に嵌合するように構成することも可能である。
【００３７】
また、上記突起形成部１４の中央位置には、筒状の止着孔２７からなるシートの止着機構１６が形成されている。この止着孔２７は、突起形成部１４から上向きに立ち上がった筒部２８によって形成されたもので、この筒部２８の周壁は、該筒部２８の軸線方向に延びる複数のスリット２９で複数の壁部分２８ａに分けられることにより弾力的に開閉できるようになっており、この筒部２８内にシートの一部を差し込んで係止させることによって該シートが装着状態に止着される。
この第２実施形態の清掃具１Ｂにおける上記以外の構成については上記第１実施形態の清掃具１Ａと実質的に同じであるから、それらの主要な同一構成部分に第１実施形態と同じ符号を付してその説明は省略する。
【図面の簡単な説明】
【００３８】
【図１】本発明に係る清掃具の第１実施形態の斜視図である。
【図２】図１の断面図である。
【図３】グリップ部材を斜め下から見た斜視図である。
【図４】シートホルダーを斜め上から見た斜視図である
【図５】グリップ部材とシートホルダーとを連結状態で分離した断面図である。
【図６】シートホルダーの異なる例を示す部分断面図である。
【図７】シートホルダーの更に異なる例を示す下面図である。
【図８】本発明の清掃具の第２実施形態を清掃具本体について示す斜視図である。
【図９】図８の分解図である。
【図１０】第２実施形態のグリップ部材を図９と反対側から見た斜視図である。
【符号の説明】
【００３９】
１Ａ，１Ｂ    清掃具
２    清掃具本体
３    シート
４    グリップ部材
４ａ    上面壁
４ｂ    側面壁
５    シートホルダー
６ａ，６ｂ    作業面
８    繊条
１０    連結機構
１１    連結突起
１２    連結孔
１６    止着機構
１７，２０，２７    止着孔
【図１】
2010069238.tif 000003
【図２】
2010069238.tif 000004
【図３】
2010069238.tif 000005
【図４】
2010069238.tif 000006
【図５】
2010069238.tif 000007
【図６】
2010069238.tif 000008
【図７】
2010069238.tif 000009
【図８】
2010069238.tif 000010
【図９】
2010069238.tif 000011
【図１０】
2010069238.tif 000012